(57)【要約】【課題】位置管理装置が宛先側通信装置の位置に応じた呼制御装置に呼の設定要求を通知することにより、効率良く呼の設定を行わせる技術を提供する。とする。【解決手段】ネットワークを介して位置管理装置と接続する呼制御装置が、呼の設定要求を受け、前記呼の設定要求に応じて、宛先側通信装置の位置情報を位置データテーブルから検索し、前記検索の結果、位置情報が索出された場合に、該位置情報に基づいて呼を設定し、前記検索の結果、位置情報が索出されない場合に、該呼の設定要求を位置管理装置に通知し、前記位置管理装置が、前記呼制御装置から呼の設定要求の通知を受け、各通信装置を宛先とする呼の制御を前記呼制御装置の何れが行うかを示す管理情報を記憶した記憶部を参照し、前記参照した管理情報に基づき、前記設定要求の宛先側通信装置に対して呼の制御を行う呼制御装置に前記呼の設定要求を通知する。【選択図】図２
2007208695.tif 000002
【特許請求の範囲】
【請求項１】
ネットワークを介して接続する位置管理装置と複数の呼制御装置とを有し、
前記呼制御装置が、
呼の設定要求を受ける受信部と、
前記受信部で受けた呼の設定要求に応じ、宛先側通信装置の位置情報を位置データテーブルから検索する検索部と、
前記検索の結果、位置情報が索出された場合に、該位置情報に基づいて呼を設定する呼制御部と、
前記検索の結果、位置情報が索出されない場合に、該呼の設定要求を位置管理装置に通知する通知部とを備え、
前記位置管理装置が、
各通信装置を宛先とする呼の制御を前記呼制御装置の何れが行うかを示す管理情報を記憶した記憶部と、
前記呼制御装置から呼の設定要求の通知を受ける呼受信部と、
前記記憶部を参照し、前記設定要求の宛先側通信装置に対して呼の制御を行う呼制御装置に前記呼の設定要求を通知する通知部と、
を備える通話システム。
【請求項２】
ネットワークを介して位置管理装置と接続する呼制御装置が、
呼の設定要求を受け、
前記呼の設定要求に応じて、宛先側通信装置の位置情報を位置データテーブルから検索し、
前記検索の結果、位置情報が索出された場合に、該位置情報に基づいて呼を設定し、
前記検索の結果、位置情報が索出されない場合に、該呼の設定要求を位置管理装置に通知し、
前記位置管理装置が、
前記呼制御装置から呼の設定要求の通知を受け、
各通信装置を宛先とする呼の制御を前記呼制御装置の何れが行うかを示す管理情報を記憶した記憶部を参照し、
前記参照した管理情報に基づき、前記設定要求の宛先側通信装置に対して呼の制御を行う呼制御装置に前記呼の設定要求を通知する通話方法。
【請求項３】
ネットワークを介して位置管理装置と接続する呼制御装置であって、
呼の設定要求を受ける受信部と、
前記受信部で受けた呼の設定要求に応じ、宛先側通信装置の位置情報を位置データテーブルから検索する検索部と、
前記検索の結果、位置情報が索出された場合に、該位置情報に基づいて呼を設定する呼制御部と、
前記検索の結果、位置情報が索出されない場合に、該呼の設定要求を位置管理装置に通知する通知部とを備えた呼制御装置。
【請求項４】
ネットワークを介して位置管理装置と接続する呼制御装置が、
呼の設定要求を受け、
前記呼の設定要求に応じて、宛先側通信装置の位置情報を位置データテーブルから検索し、
前記検索の結果、位置情報が索出された場合に、該位置情報に基づいて呼を設定し、
前記検索の結果、位置情報が索出されない場合に、該呼の設定要求を位置管理装置に通知する通話方法。
【請求項５】
ネットワークを介して位置管理装置と接続する呼制御装置に、
呼の設定要求を受け、
前記呼の設定要求に応じて、宛先側通信装置の位置情報を位置データテーブルから検索し、
前記検索の結果、位置情報が索出された場合に、該位置情報に基づいて呼を設定し、
前記検索の結果、位置情報が索出されない場合に、該呼の設定要求を位置管理装置に通知する機能を実現させるプログラム。
【発明の詳細な説明】
【技術分野】
【０００１】
本発明は、通信端末の位置に応じて該通信端末間の呼設定を行う技術に関する。
【背景技術】
【０００２】
近年、インターネット等のＩＰ網を介して通信端末間の呼を設定し、インターネットプロトコル(ＩＰ)によって音声パケットを送受信して通話を行う所謂ＩＰ電話が普及してきている。
【０００３】
該ＩＰ電話のシステムでは、各通信端末がＳＩＰ(Session Initiation Protocol)サー
バにＳＩＰレジスタメッセージ（登録要求）を送り、ＳＩＰサーバが該メッセージに基づき端末の接続位置等のＳＩＰレジスタ情報を予め加入者データベース（ＤＢ）に登録しておく。そして、ＳＩＰサーバは、発信者側の通信端末（SIP UA）から呼の設定要求（INVITE）を受けると、該加入者ＤＢの情報に基づいて宛先側通信端末に呼の設定要求を中継して通信端末間に呼を設定させるように呼の制御（中継）を行う。
【０００４】
また、ＳＩＰサーバは、端末の電話番号と、該端末の呼の制御を行う他のＳＩＰサーバとを対応付けて登録しておき、他のＳＩＰサーバが制御する端末の電話番号について呼の設定要求を受けた場合、該呼の設定要求の信号を他のＳＩＰサーバへ中継する。
【０００５】
また、本願発明に関連する先行技術として、例えば、下記の特許文献１に開示される技術がある。
【特許文献１】特開２００５−１２４０６０号公報
【発明の開示】
【発明が解決しようとする課題】
【０００６】
従来のＩＰ電話のシステムでは、各通信端末のＳＩＰレジスタ情報を特定のＳＩＰサーバに登録していた。しかし、近年提案されている携帯式の通信端末は、ユーザの移動に伴ってネットワークへの接続位置が変わることになるので、特定のＳＩＰサーバにＳＩＰレジスタを登録する構成であると、ＳＩＰサーバから遠い場所へ移動した場合に、呼処理が非効率になることがあった。
【０００７】
例えば、東京のＳＩＰサーバにＳＩＰレジスタ情報を登録している端末宛ての着信呼は、必ず東京のＳＩＰサーバを介して呼が設定される。従って図１に示すように東京のＳＩＰサーバ１０１にＳＩＰレジスタ情報を登録した端末６０２が大阪へ移動し、大阪の端末６０３から端末６０２宛てに着信呼があった場合にも、東京のＳＩＰサーバ１０１を経由することになるため、東京−大阪間のトラフィックが無駄になる。
【０００８】
そこで本発明は、位置管理装置が宛先側通信装置の位置に応じた呼制御装置に呼の設定要求を通知することにより、効率良く呼の設定を行わせる。
【課題を解決するための手段】
【０００９】
上記課題を解決するため、本発明は、以下の構成を採用した。
即ち、本発明の通話システムは、
ネットワークを介して接続する位置管理装置と複数の呼制御装置とを有し、
前記呼制御装置が、
呼の設定要求を受ける受信部と、
前記受信部で受けた呼の設定要求に応じ、宛先側通信装置の位置情報を位置データテー
ブルから検索する検索部と、
前記検索の結果、位置情報が索出された場合に、該位置情報に基づいて呼を設定する呼制御部と、
前記検索の結果、位置情報が索出されない場合に、該呼の設定要求を位置管理装置に通知する通知部とを備え、
前記位置管理装置が、
各通信装置を宛先とする呼の制御を前記呼制御装置の何れが行うかを示す管理情報を記憶した記憶部と、
前記呼制御装置から呼の設定要求の通知を受ける呼受信部と、
前記記憶部を参照し、前記設定要求の宛先側通信装置に対して呼の制御を行う呼制御装置に前記呼の設定要求を通知する通知部と、
を備える。
【００１０】
前記通話システムは、
所定の地域に存在する通信装置に係る前記管理情報を前記記憶部に記憶し、異なる地域の管理情報を記憶した複数の前記位置管理装置と、
各通信装置の管理情報が前記複数の位置管理装置の何れに記憶されているのかを管理する広域管理装置と、を備えることにより、位置情報を階層状に管理しても良い。
【００１１】
前記広域管理装置が、各通信装置の加入者情報を記憶する記憶部を備え、前記位置管理装置が、前記記憶部に記憶した管理情報に係る通信装置の加入者情報を前記広域管理装置から取得する取得部を備えても良い。
【００１２】
前記位置管理装置が、前記呼制御装置から呼の設定要求の通知を受け、当該設定要求の宛先側通信装置に係る管理情報が前記記憶部に記憶されていない場合に、当該呼の設定要求を前記広域管理装置に通知する広域通知部を備え、
前記広域管理装置が、各通信装置の管理情報が前記複数の位置管理装置の何れに記憶されているのかを示す広域管理情報を記憶した記憶部と、前記位置管理装置から呼の設定要求の通知を受ける呼受信部と、前記記憶部を参照し、該呼の設定要求の宛先側通信装置の管理情報を記憶した位置管理装置を特定し、当該位置管理装置に当該呼の設定要求を通知する通知部とを備えても良い。
【００１３】
また、本発明の通話方法は、
ネットワークを介して位置管理装置と接続する呼制御装置が、
呼の設定要求を受け、
前記呼の設定要求に応じて、宛先側通信装置の位置情報を位置データテーブルから検索し、
前記検索の結果、位置情報が索出された場合に、該位置情報に基づいて呼を設定し、
前記検索の結果、位置情報が索出されない場合に、該呼の設定要求を位置管理装置に通知し、
前記位置管理装置が、
前記呼制御装置から呼の設定要求の通知を受け、
各通信装置を宛先とする呼の制御を前記呼制御装置の何れが行うかを示す管理情報を記憶した記憶部を参照し、
前記参照した管理情報に基づき、前記設定要求の宛先側通信装置に対して呼の制御を行う呼制御装置に前記呼の設定要求を通知する。
【００１４】
前記通話方法において、
前記位置管理装置が、所定の地域に存在する通信装置に係る前記管理情報を前記記憶部に記憶し、
広域管理装置が、異なる地域の管理情報を記憶した複数の前記位置管理装置のうち何れに、どの通信装置の管理情報が記憶されているのかを管理することにより、位置情報を階層状に管理しても良い。
【００１５】
前記通話方法において、
前記広域管理装置が、各通信装置の加入者情報を記憶部に記憶し、
前記位置管理装置が、前記記憶部に記憶した管理情報に係る通信装置の加入者情報を前記広域管理装置から取得する請求項６に記載の通話方法。
【００１６】
前記通話方法において、
前記位置管理装置が、前記呼制御装置から呼の設定要求の通知を受け、当該設定要求の宛先側通信装置に係る管理情報が前記記憶部に記憶されていない場合に、当該呼の設定要求を前記広域管理装置に通知し、
前記広域管理装置が、
各通信装置の管理情報が前記複数の位置管理装置の何れに記憶されているのかを示す広域管理情報を記憶部に記憶し、
前記位置管理装置から呼の設定要求の通知を受け、
前記記憶部を参照し、該呼の設定要求の宛先側通信装置の管理情報を記憶した位置管理装置を特定し、当該位置管理装置に当該呼の設定要求を通知しても良い。
【００１７】
また、本発明の呼制御装置は、
ネットワークを介して位置管理装置と接続する呼制御装置であって、
呼の設定要求を受ける受信部と、
前記受信部で受けた呼の設定要求に応じ、宛先側通信装置の位置情報を位置データテーブルから検索する検索部と、
前記検索の結果、位置情報が索出された場合に、該位置情報に基づいて呼を設定する呼制御部と、
前記検索の結果、位置情報が索出されない場合に、該呼の設定要求を位置管理装置に通知する通知部とを備えた。
【００１８】
また、本発明の通話方法は、
ネットワークを介して位置管理装置と接続する呼制御装置が、
呼の設定要求を受け、
前記呼の設定要求に応じて、宛先側通信装置の位置情報を位置データテーブルから検索し、
前記検索の結果、位置情報が索出された場合に、該位置情報に基づいて呼を設定し、
前記検索の結果、位置情報が索出されない場合に、該呼の設定要求を位置管理装置に通知する。
【００１９】
また、本発明の位置管理装置は、
ネットワークを介して呼制御装置と接続する位置管理装置であって、
各通信装置を宛先とする呼の制御を前記呼制御装置の何れが行うかを示す管理情報を記憶した記憶部と、
前記呼制御装置から呼の設定要求の通知を受ける呼受信部と、
前記記憶部を参照し、前記設定要求の宛先側通信装置に対して呼の制御を行う呼制御装置に前記呼の設定要求を通知する通知部と、
を備える。
【００２０】
また、本発明の通話方法は、
ネットワークを介して呼制御装置と接続する位置管理装置が、
前記呼制御装置から呼の設定要求の通知を受け、
各通信装置を宛先とする呼の制御を前記呼制御装置の何れが行うかを示す管理情報を記憶した記憶部を参照し、
前記参照した管理情報に基づき、前記設定要求の宛先側通信装置に対して呼の制御を行う呼制御装置に前記呼の設定要求を通知する通話方法。
【００２１】
また、本発明は、上記通話方法をコンピュータに実行させるプログラムであっても良い。更に、本発明は、このプログラムをコンピュータが読み取り可能な記録媒体に記録したものであっても良い。コンピュータに、この記録媒体のプログラムを読み込ませて実行させることにより、その機能を提供させることができる。
【００２２】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
【００２３】
また、コンピュータに固定された記録媒体としてハードディスクやＲＯＭ（リードオンリーメモリ）等がある。
【発明の効果】
【００２４】
本発明によれば、位置管理装置が宛先側通信装置の位置に応じた呼制御装置に呼の設定要求を通知することにより、効率良く呼の設定を行わせる技術を提供できる。
【発明を実施するための最良の形態】
【００２５】
図２は、本発明に係るＩＰ電話システム（通話システム）の概略図、図３−図６は、該ＩＰ電話システムを構成する各構成要素のブロック図である。
【００２６】
本例のＩＰ電話システム１０は、広域位置管理装置（ＮＬＭ：Network wide Location Manager）１や、地域内位置管理装置（ＬＬＭ：Local Location Manager）２、ＳＩＰサ
ーバ（呼制御装置）３、アクセスルータ（中継ノード）４を備えている。
【００２７】
本実施形態のＩＰ電話システム１０では、各端末が、移動先のＳＩＰサーバ３に、位置情報を含むＳＩＰレジスタ情報を登録し、所定の地域に設けられたＳＩＰサーバ３にそれぞれ、どの端末（通信装置）のＳＩＰレジスタ情報が登録されているのかを示す管理情報をＬＬＭ２が記憶し、各ＬＬＭにどの端末の管理情報が記憶されているのかを示す広域管理情報をＮＬＭ１が記憶している。即ち、ＳＩＰサーバ３と、ＬＬＭ２と、ＮＬＭ１とが、各端末６の位置情報（ＳＩＰレジスタ情報）を階層状に記憶している。
【００２８】
そして、端末６は、移動先のＳＩＰサーバ３に対して呼の設定を行う。このとき端末６が要求した呼の宛先側端末が該ＳＩＰサーバ３に登録されていなければ、ＳＩＰサーバ３は、上位のＬＬＭ２に該呼の設定要求を通知する。該ＬＬＭ２は、当該宛先側端末の管理情報を記憶していれば、該管理情報に基づいて宛先側端末６を登録しているＳＩＰサーバ３へ呼の設定要求を通知し、呼を設定させる。またＬＬＭ２は、当該宛先側端末の管理情報を記憶していなければ、上位のＮＬＭ１に該呼の設定要求を通知する。
【００２９】
呼の設定要求を受信したＮＬＭ１は、広域管理情報に基づいて宛先側端末の管理情報を記憶しているＬＬＭ２へ呼の設定要求を通知し、上述のように呼を設定させる。
【００３０】
このように本実施形態のＩＰ電話システムは、端末の６位置に応じたＳＩＰサーバ３に
呼の設定要求を通知することにより、効率良く呼の設定を行わせる。
【００３１】
次に、本実施形態のＩＰ電話システムを構成する各要素について具体的に説明する。
図３は、アクセスルータ４の説明図である。アクセスルータ４は、中継部４１、パケット識別部４２、パケットキャプチャ部４３、通知部４４、記憶部（メモリ）４５を備えている。
【００３２】
中継部４１は、端末６からＳＩＰサーバ３やその他のコンピュータに送信されるパケットを中継する。本例の中継部４１は、パケットを他のネットワークへルーティングするルーティング部である。なお、本実施形態では、端末６がアクセスポイント５を介して接続するネットワークとＳＩＰサーバ３が属するネットワークを異ならせ、端末６からＳＩＰサーバ３へのパケットが、この中継部４１を通るように構成している。
【００３３】
パケット識別部４２は、中継部４１で中継するパケットのうち、所定のパケットを識別する。例えば本実施形態では、端末６からＳＩＰサーバ３へ登録要求（REGISTER）するパケットを識別している。
【００３４】
キャプチャ部４３は、パケット識別部４２で識別した登録要求のパケットからＳＩＰレジスタ情報をキャプチャする。
【００３５】
通知部４４は、該キャプチャ部４３でキャプチャしたＳＩＰレジスタ情報及びＳＩＰサーバの識別情報をＬＬＭ２へ通知する。本例では、該ＳＩＰサーバ３の識別情報として前記パケットの宛先（ＩＰアドレス）を用いている。該ＳＩＰサーバ３の識別情報は、これに限らず、例えば当該端末６がＳＩＰレジスタ情報を登録するＳＩＰサーバ３を特定できれば良く、ＳＩＰサーバのコンピュータ名や端末が接続したネットワーク名（ＳＳＩＤ等）、地域名（東京、大阪等）であっても良い。また、端末６がＳＩＰサーバ３の識別情報をＳＩＰレジスタ情報に含めてＳＩＰサーバ３に送り、アクセスルータ４は、この識別情報を含むＳＩＰレジスタ情報をＬＬＭ２へ送信しても良い。
【００３６】
記憶部４５は、ネットワークに接続している通信端末６の接続情報を登録するデータテーブルを有している。
【００３７】
本実施形態のアクセスルータ４は、上記の各部をハードウェア（電子回路）によって構成したが、これに限らずコンピュータ（情報処理装置）がソフトウェア（本発明の通信プログラム）に従って上記各部の機能を実現する構成であっても良い。
【００３８】
図４は、ＬＬＭ２の機能ブロック図である。ＬＬＭ２は、演算処理部（ＣＰＵ等）や、記憶部（ハードディスクやＲＡＭ等）２１を備えた汎用のコンピュータである。該記憶部２１は、オペレーティングシステムやアプリケーションソフトウェア等のプログラムや、各通信装置を宛先とする呼の制御を前記呼制御装置の何れが行うかを示す管理情報を記憶した位置データテーブルを有している。
【００３９】
そして、ＬＬＭ２は、記憶部２１にインストールされたプログラムに従って演算処理部が処理を行う。これにより、該演算処理部は、図４に示すように、ＳＩＰサーバ通信部（呼受信部に相当）２２、位置管理部（通知部に相当）２３、メッセージ受信部２４、ＮＬＭ通信部（取得部）２５、として機能する。
【００４０】
ＳＩＰサーバ通信部２２は、前記ＳＩＰサーバ３から呼の設定要求の通知を受ける。
メッセージ受信部（管理情報登録部）２４は、各端末６を宛先とする呼を制御するＳＩＰサーバ３を特定する情報（ＩＰアドレス等）をアクセスルータ４から受信し、該ＳＩＰ
レジスタ情報とＳＩＰサーバ３を特定する情報とを対応付けて管理情報とし、記憶部２１の位置データテーブルに記憶させる。
【００４１】
位置管理部２３は、前記記憶部２１の管理情報を参照し、前記ＳＩＰサーバ３から受けた設定要求の宛先側端末６に対して呼の制御を行うＳＩＰサーバ３を求め、該ＳＩＰサーバ３に前記ＳＩＰサーバ通信部２２を介して前記呼の設定要求を通知する。
【００４２】
また、位置管理部２３は、管理情報の有効期間を監視し、該有効期間に達した場合、当該管理情報を位置データテーブルから削除する。
【００４３】
ＮＬＭ通信部（取得部）２５は、前記記憶部２１に記憶した管理情報に係る端末６の加入者情報を前記ＮＬＭ１から取得する。また、ＮＬＭ通信部２５は、ＬＬＭ２自身が管理する端末についての情報をＮＬＭに送信する。
【００４４】
図５は、ＮＬＭ１の機能ブロック図である。ＮＬＭ１は、演算処理部（ＣＰＵ等）や、記憶部（ハードディスクやＲＡＭ等）１１を備えた汎用のコンピュータである。該記憶部１１は、オペレーティングシステムやアプリケーションソフトウェア等のプログラムや、各端末６の加入者情報及び広域管理情報を記憶した位置データテーブルを有している。
【００４５】
そして、ＮＬＭ１は、記憶部１１にインストールされたプログラムに従って演算処理部が処理を行う。これにより、該演算処理部は、図５に示すように、ＬＬＭ通信部（呼受信部に相当）１２、位置管理部（通知部に相当）１３、メッセージ受信部１４、ＳＩＰサーバ通信部１５として機能する。
【００４６】
ＬＬＭ通信部１２は、前記ＬＬＭ２から呼の設定要求の通知を受ける。
位置管理部１３は、前記記憶部を参照し、ＬＬＭ２から受けた呼の設定要求の宛先側通信装置の管理情報を記憶したＬＬＭ２を特定し、当該ＬＬＭ２に当該呼の設定要求を通知する。
【００４７】
メッセージ受信部（管理情報登録部を含む）１４は、各ＬＬＭ２からそれぞれが記憶する各端末６の管理情報を受信し、該管理情報とこの管理情報が複数のＬＬＭ２のうち何れに記憶されているのかを示す情報（ＩＰアドレス等）とを対応付けて広域管理情報とし、記憶部１１に記憶させる。
【００４８】
図６は、ＳＩＰサーバ３の機能ブロック図である。ＳＩＰサーバ３は、演算処理部（ＣＰＵ等）や、記憶部（ハードディスクやＲＡＭ等）３１を備えた汎用のコンピュータである。該記憶部３１は、オペレーティングシステムやアプリケーションソフトウェア等のプログラム、各端末６の位置情報を含むＳＩＰレジスタ情報を記憶した位置データテーブル（ＳＩＰレジスタ）を有している。
【００４９】
そして、ＳＩＰサーバ３は、記憶部３１にインストールされたプログラムに従って演算処理部が処理を行う。これにより、該演算処理部は、図６に示すように、端末通信部（受信部及び送信部）３２、位置管理部（検索部に相当）３３、ＳＩＰ呼制御部３４、ＬＬＭ通信部（通知部に相当）３５として機能する。
【００５０】
端末通信部３２は、端末６からの呼の設定要求やＳＩＰレジスタ情報の登録要求（REGISTER）の受信、並びに端末６への呼の設定要求（INVITE）の送信を行う。
【００５１】
位置管理部３３は、前記端末通信部３２で受けた呼の設定要求に応じて宛先側端末６の位置情報を位置データテーブルから検索したり、呼の制御が不要となった（即ち削除通知
があった）端末６の位置情報を位置データテーブルから削除したりといった、位置情報の管理を行う。
【００５２】
ＳＩＰ呼制御部３４は、前記検索の結果、位置情報が索出された場合に、端末通信部３２を制御し、当該位置情報に基づいて宛先側端末６に呼の設定要求（INVITE）を送信させて呼を設定する。
【００５３】
ＬＬＭ通信部３５は、前記検索の結果、位置情報が索出されない場合に、該呼の設定要求をＬＬＭ２に通知する。
【００５４】
本実施形態のＮＬＭ１及びＬＬＭ２は、上記各部の機能をプログラム（ソフトウェア）に従って演算処理部が実現する構成としたが、これに限らず上記各部としてハードウェア（電子回路）を用いて各部の機能を実行する構成としても良い。
【００５５】
図７は、端末６の機能ブロック図である。端末６は、接続部６１、呼制御部６２、通話部６３を備えている。
接続部６１は、ＬＡＮ等のネットワークに接続し、他のコンピュータとの通信を制御する。本実施形態において接続部６１は、IEEE802.11gやBluetooth（登録商標）等で規定されている電波で無線ＬＡＮアクセスポイント５に接続する無線ＬＡＮインターフェースである。
【００５６】
呼制御部６２は、ＳＩＰレジスタ情報の登録要求や呼の設定要求をＳＩＰサーバ３に対し接続部６１を介して送信する。また、呼制御部６２は、呼の設定要求を受信した場合にＳＩＰサーバ３を介して或は発信側端末６と直接、呼の設定を行う。
【００５７】
通話部６３は、ＳＩＰによって確立した呼を通じて音声パケットを送受信し、相手側端末との間で通話を行う。
【００５８】
本実施形態の端末６は、上記の各部をハードウェア（電子回路）によって構成したが、これに限らずコンピュータ（情報処理装置）がソフトウェア（本発明の通信プログラム）に従って上記各部の機能を実現する構成であっても良い。
【００５９】
これらの装置からなる本実施形態のＩＰ電話システムにおいて、端末間で通話を行う方法について図８〜図１５を用いて示す。なお、本実施形態において、例えばＳＩＰサーバ３のように複数ある装置について、各装置に共通の事項を説明する場合には総括符号”３”のみを記し、個々の装置を特定して説明する場合には、総括符号の後に特定の記号を付けて３Ａ，３Ｂ・・・のように示す。
【００６０】
図８は、東京と大阪のように異なる地域に設けられたＬＬＭ２や端末６等の接続関係を示す図である。
先ず、端末６がネットワークに接続した際のシーケンスについて図９を用いて説明する。
【００６１】
端末６を携帯する利用者の移動に伴いアクセスルータ４がカバーする無線エリアに端末６が入ると、該端末６は、接続部６１により、アクセスポイント５を検索し（ステップ１、以下Ｓ１のようにも記す）、接続関係を結ぶために、アクセスポイント５にアソシエーションの要求を出す（Ｓ２）。
【００６２】
これに応じアクセスポイント５は、端末６にＩＤや認証キー等の認証情報を要求する（Ｓ３）。該端末６から認証情報を受信すると、アクセスポイント５は、該認証情報に基づ
いて認証を行う（Ｓ４−Ｓ５）。
【００６３】
該端末６の認証がパスすると、アクセスポイント５は、該端末６との間で接続関係を結び（Ｓ６）、端末の情報（ＭＡＣアドレス等）をデータテーブルに登録する（Ｓ７）。
【００６４】
該端末６は、アクセスポイント５と接続すると、ＤＨＣＰ（Dynamic Host Configuration Protocol）を用いてアクセスルータ４からＩＰアドレスを取得し、ＩＰ通信が可能な
状態になる（Ｓ８）。
【００６５】
このときアクセスルータ４は、当該端末６が取得したＩＰアドレス、即ち当該端末６のネットワーク上での位置情報と、当該端末６の識別情報（本例ではＭＡＣアドレス）とをデータテーブル（ルーティングテーブル等）に登録する（Ｓ９）。アクセスルータ４の中継部４１は、このデータテーブルの情報に基づいて当該端末６に係る通信を中継する。なお、中継部４１は、当該端末６からの通信が所定期間無ければ（有効期間が満了すれば）、当該端末６の情報をデータテーブルから削除する。このため中継部４１は、該データテーブルの情報（接続情報とも称す）が記憶されていれば、当該端末がネットワークに接続しており、接続情報が記憶されていなければ当該端末がネットワークに接続されていないと判断できる。
【００６６】
前記ＭＡＣアドレスとＩＰアドレスの登録後、アクセスルータ４の通知部４４は、そのＭＡＣアドレスと、端末のＩＰアドレスと、アクセスルータ４のＩＰアドレスとを対応つけ、端末６との接続情報として、ＬＬＭ２へ通知する（Ｓ１０）。
【００６７】
次に、アクセスルータ４が端末６のＳＩＰレジスタをキャプチャし、ＬＬＭ２へ通知するまでのシーケンスについて図１０を用いて説明する。
【００６８】
端末６は、ネットワーク（アクセスポイント５）と接続した際に、ＳＩＰサーバ３宛てに位置の登録要求であるＳＩＰレジスタメッセージ（REGISTER）を送信する（Ｓ１１）。
このとき、端末６は、接続したネットワークを検出し、ネットワークに応じたＳＩＰサーバ３にＳＩＰレジスタメッセージを送信する。即ち、移動先のネットワークに応じたＳＩＰサーバ３にＳＩＰレジスタメッセージを送信する。例えば、端末６がアクセスポイント４，４Ａに接続する際、ステップ１の検索でＳＳＩＤやＥＳＳＩＤ等のネットワークの識別情報を得、これに応じて予め設定したＳＩＰサーバにＳＩＰレジスタメッセージを送信する。
【００６９】
該端末６からのパケットを中継するアクセスルータ４は、端末６から受信したパケットをパケット識別部４２で識別し、ＳＩＰレジスタメッセージと判定した場合（Ｓ１２）、パケットキャプチャ部４３で該ＳＩＰレジスタメッセージをキャプチャし、解析する（Ｓ１３）。
【００７０】
アクセスルータ４は、中継部４１により、該ＳＩＰレジスタメッセージであるパケットを通常通り処理して前記宛先（ＳＩＰサーバ３）へ中継するとともに（Ｓ１４）、通知部４４により該端末６のＩＰアドレスと、端末６のＳＩＰ−ＵＲＩ、有効期間（expire time）、ＳＩＰサーバ３のアドレスをＳＩＰレジスタ情報としてＬＬＭ２へ通知する（Ｓ１
５）。
【００７１】
また、ＳＩＰサーバ３では、前記ステップ１４にてアクセスルータ４から受信したＳＩＰレジスタメッセージに基づき位置管理部３３がレジスタ情報を位置データテーブルに登録する。なお、該レジスタ情報には有効期間を設定しており、位置管理部３３は、該レジスタ情報の有効期間を監視し、該有効期間が満了した場合、当該レジスタ情報を位置デー
タテーブルから削除する。
【００７２】
一方、端末６は、登録したＳＩＰレジスタ情報が満了する前に、定期的にＳＩＰサーバ３に対してＳＩＰレジスタメッセージを送信する。
【００７３】
図８の例では、端末６Ａ，６ＥがＳＩＰサーバ３Ａに、端末６ＢがＳＩＰサーバ３Ｂに、端末６Ｃ，６ＤがＳＩＰサーバ３Ｃに、それぞれＳＩＰレジスタメッセージを送信する。
また、アクセスルータ４Ａ，４Ｃ，４Ｄは、ＬＬＭ２Ａに、アクセスルータ４Ｂ，４ＥはＬＬＭ２Ｂに、それぞれＳＩＰレジスタ情報を送信する。
【００７４】
更に、ＬＬＭ２では、図１１に示すように前記ステップ１０におけるアクセスルータ４からの接続情報をメッセージ受信部２４で受信し（Ｓ１６）、位置管理部２３が位置データテーブルに登録する（Ｓ１７）。更に、前記ステップ１５によるＳＩＰレジスタ情報を受信した場合（Ｓ１８）、位置管理部２３は、端末６のＩＰアドレスが一致する接続情報と該ＳＩＰレジスタ情報とを関連付け、管理情報として前記位置データテーブルに登録する（Ｓ１９）。なお、該管理情報には有効期間を設定しており、位置管理部２３は、該管理情報の有効期間を監視し、該有効期間に達した場合、当該管理情報を位置データテーブルから削除する。
【００７５】
また、ＳＩＰレジスタ情報を受信した場合、ＮＬＭ通信部２５は、該ＳＩＰレジスタ情報と、ＬＬＭ２自身のＩＰアドレス、即ち該ＳＩＰレジスタ情報に係る端末６の管理情報が該ＬＬＭ２に記憶されていることを示す広域管理情報をＮＬＭ１に送信する（Ｓ２０）。
【００７６】
而して、端末６のユーザが電話番号を指定して電話をかけた場合、図１２に示すようにＳＩＰサーバ３は、該電話番号に応じたＳＩＰ−ＵＲＩを宛先とする呼の設定要求（INVITE）を受信する（Ｓ２１）。例えば、図８に示す端末６Ａから端末６Ｅへ電話をかける場合、端末６Ａは、該端末６Ｅを宛先とする呼の設定要求（INVITE）をＳＩＰサーバ３Ａへ送信する。
【００７７】
該宛先ＳＩＰ−ＵＲＩを受信したＳＩＰサーバ３は、位置データテーブルを検索し、該当するＳＩＰ−ＵＲＩが登録されているか否かを確認する（Ｓ２２）。そして、登録されていれば、該ＳＩＰ−ＵＲＩと対応する位置情報に基づいて宛先側端末６へ呼の設定要求を送信して呼を設定させる（Ｓ２３）。即ち、ＳＩＰサーバ３Ａは、宛先側端末６ＥのＳＩＰ−ＵＲＩを登録しているので、該ＳＩＰ−ＵＲＩと対応付けられたＩＰアドレス（位置情報）に基づいて宛先側端末６Ｅへ呼の設定要求を送信する。
【００７８】
このように発信側端末６Ａ及び宛先側端末６Ｅが共にＳＩＰレジスタ情報をＳＩＰサーバ３Ａに登録していれば、この社内用のＳＩＰサーバ３Ａを介して呼が設定される。
【００７９】
一方、端末６Ａが、社外の端末６Ｃを宛先とする呼の設定要求をＳＩＰサーバ３Ａへ送信した場合（Ｓ２１）、ＳＩＰサーバ３Ａは、位置管理部３３で位置データテーブルを検索し（Ｓ２２）、宛先ＳＩＰ−ＵＲＩが登録されていない、即ち自身が制御する呼ではないと判断する。
【００８０】
そこで、ＬＬＭ通信部３５が、直上のＬＬＭ２、即ち東京のＬＬＭ２Ａに呼の設定要求を通知する（Ｓ２４）。
【００８１】
ＬＬＭ２は、ＳＩＰサーバ３から呼の設定要求を受信すると（Ｓ２５）、記憶部２１に
記憶された位置データベースの管理情報を参照し、該呼の宛先側端末を制御するＳＩＰサーバ３を求める（Ｓ２６）。本実施形態では、宛先ＳＩＰ−ＵＲＩと一致するＳＩＰ−ＵＲＩを検索し、このＳＩＰ−ＵＲＩと対応付けて記憶されているＳＩＰサーバ３のアドレスを位置データベースから求める。例えばＬＬＭ２Ａが、端末６Ｃ宛ての呼の設定要求を通知された場合、該端末６ＣのＳＩＰ−ＵＲＩと対応付けられたＳＩＰサーバ３ＣのＩＰアドレスを位置データベースから読み出す。
【００８２】
当該呼を制御するＳＩＰサーバ３が求められた場合、ＬＬＭ２は、該ＳＩＰサーバ３宛てに呼の設定要求を通知する（Ｓ２７）。即ちＬＬＭ２Ａは、ＳＩＰサーバ３Ｃに当該呼の設定要求を通知する。
【００８３】
前記ＬＬＭ２から呼の設定要求を受けたＳＩＰサーバ３は（Ｓ２１）、位置データテーブルを検索し、該当するＳＩＰ−ＵＲＩが登録されているか否かを確認する（Ｓ２２）。そして、登録されていれば、該ＳＩＰ−ＵＲＩの端末６へ呼の設定要求を送信して呼を設定させる（Ｓ２３）。即ち、ＳＩＰサーバ３Ｃは、宛先側端末６ＣのＳＩＰ−ＵＲＩを登録しているので、該ＳＩＰ−ＵＲＩと対応付けられた位置情報を位置データテーブルから取得し、該位置情報に基づいて宛先側端末６Ｃへ呼の設定要求を送信する。
【００８４】
このように、端末６Ａから社外の端末６Ｃへの呼、即ちＳＩＰサーバ３Ａに登録していない端末６Ｃを宛先とした呼の場合でも、両端末６Ａ，６Ｃが同じ地域（同じＬＬＭ２が管理する地域）に存在する場合には、上位のＮＬＭ１に問合せることなく、中位のＬＬＭ２Ａによって呼を制御することができる。
【００８５】
他方、端末６Ａから他の地域の端末６Ｂを宛先とする呼の設定要求をＳＩＰサーバ３Ａが受信した場合（Ｓ２１）、ＳＩＰサーバ３は、位置管理部３３で位置データテーブルを検索し（Ｓ２２）、宛先ＳＩＰ−ＵＲＩが登録されていない、即ち自身が制御する呼ではないと判断する。
【００８６】
そこで、ＬＬＭ通信部３５が、直上のＬＬＭ２、即ち東京のＬＬＭ２Ａに呼の設定要求を通知する（Ｓ２４）。
【００８７】
ＬＬＭ２は、ＳＩＰサーバ３から呼の設定要求を受信すると（Ｓ２５）、記憶部２１に記憶された位置データベースの管理情報を参照し、該呼の宛先側端末を制御するＳＩＰサーバ３を検索する（Ｓ２６）。
【００８８】
この結果、該宛先側端末に係る管理情報が索出されなかった場合、ＬＬＭ２は、自身が制御する呼ではないと判断し、ＮＬＭ通信部２５が、ＮＬＭ１へ呼の設定要求を通知する（Ｓ２８）。
【００８９】
ＮＬＭ１は、ＬＬＭ２から呼の設定要求を受信すると（Ｓ２９）、記憶部１１に記憶された位置データテーブルの広域管理情報を参照し、該呼の宛先側端末に係る管理情報を記憶しているＬＬＭ２のアドレスを求める（Ｓ３０）。本実施形態では、宛先ＳＩＰ−ＵＲＩと一致するＳＩＰ−ＵＲＩを検索し、このＳＩＰ−ＵＲＩと対応付けて記憶されているＬＬＭ２のアドレスを位置データベースから求める。例えば端末６Ｂ宛ての呼であれば、ＳＩＰサーバ３Ｂを管理しているＬＬＭ２ＢのＩＰアドレスを求める。
【００９０】
そして求めたアドレスに基づいてＬＬＭ２へ当該呼の設定要求を通知する（Ｓ３１）。
この呼の設定要求をＮＬＭ１から受信した場合（Ｓ２５）、ＬＬＭ２は、前述と同様に、該端末６のＳＩＰ−ＵＲＩと対応付けられたＳＩＰサーバ３のＩＰアドレスを位置データベースから索出する（Ｓ２６）。
【００９１】
そしてＬＬＭ２は、読み出したアドレスに基づいてＳＩＰサーバ３に呼の設定要求を通知する（Ｓ２７）。即ちＬＬＭ２Ｂは、端末６Ｂ宛ての呼を制御するＳＩＰサーバ３Ｂに当該呼の設定要求を通知する。
前記ＬＬＭ２から呼の設定要求を受けたＳＩＰサーバ３は（Ｓ２１）、位置データテーブルを検索し、該当するＳＩＰ−ＵＲＩが登録されているか否かを確認する（Ｓ２２）。そして、登録されていれば、該ＳＩＰ−ＵＲＩの端末６へ呼の設定要求を送信して呼を設定させる（Ｓ２３）。即ち、ＳＩＰサーバ３Ｂは、宛先側端末６ＢのＳＩＰ−ＵＲＩを登録しているので、該ＳＩＰ−ＵＲＩと対応付けられた位置情報を位置データテーブルから取得し、該位置情報に基づいて宛先側端末６Ｂへ呼の設定要求を送信する。
【００９２】
このように、端末６Ａから地域外の端末６Ｂへの呼の設定要求、即ちＬＬＭ２Ａに登録してない端末６Ｂを宛先とした呼の設定要求の場合でも、ＮＬＭ１によって当該宛先側端末６Ｂの管理情報を有しているＳＩＰサーバ３に呼の設定要求を通知し、制御させることができる。
【００９３】
一方、ステップ３０において、ＳＩＰ−ＵＲＩがＮＬＭ１の位置データテーブルに登録されていない場合、ＮＬＭ１がＬＬＭ２にエラーを返し、該ＬＬＭ２がＳＩＰサーバ３にエラーを返し、ＳＩＰサーバ３が端末６にエラーを通知する（Ｓ３２）。
【００９４】
次に、アクセスルータ４と端末６の接続関係が解除されたときのシーケンスを図１３に示す。
端末６がアクセスポイント５の無線エリア外に移動し（Ｓ４１）、所定時間端末６からの送信が途絶えるとアクセスルータ４の中継部４１は、端末６との接続関係が解除されたと判断する（Ｓ４２）。
【００９５】
そして、中継部４１は、該端末６を特定する情報（ＭＡＣアドレスやＩＰアドレス等）をデータテーブル（ルーティングテーブル等）から索出する（Ｓ４３）。
【００９６】
通知部４４は、前記端末６の接続状態（切断通知）として、該端末６を特定する情報、および接続関係の解除を示す情報をＬＬＭ２へ送信する（Ｓ４４）。
【００９７】
そして、中継部４１は、前記端末６の情報をデータテーブルから削除する（Ｓ４５）。
【００９８】
一方、前記ステップ４４でアクセスルータ４から切断通知が送信されると、ＬＬＭ２は、図１４に示すように、メッセージ受信部２４が該切断通知を受け（Ｓ５１）、位置管理部２３が位置データテーブルから該端末６の管理情報を削除する（Ｓ５２）。
【００９９】
また、ＮＬＭ通信部２５は、ＮＬＭ１に広域管理情報の更新（削除）を通知する（Ｓ５３）。
更に、ＳＩＰサーバ通信部２２は、ＳＩＰサーバ３にＳＩＰレジスタ情報の更新（削除）を通知する（Ｓ５４）。
【０１００】
ＮＬＭ１は、ＬＬＭ通信部１２により、この広域管理情報の削除の通知を受信した場合、位置管理部１３が当該広域管理情報をデータテーブルから削除する。
また、ＳＩＰサーバ３は、ＬＬＭ通信部３５により、このＳＩＰレジスタ情報の削除の通知を受信した場合、位置管理部３３が当該ＳＩＰレジスタ情報をデータテーブルから削除する。
【０１０１】
上述のように、本実施形態の通話システムでは、位置情報を階層状に管理し、発信側端
末と宛先側端末とが同一の地域に存在する場合、当該地域を管理するＬＬＭを介して呼の設定を行い、発信側端末と宛先側端末とが同一の地域内に存在しない場合にのみ上位の装置、即ちＮＬＭに呼の設定要求を通知するので、効率良く呼の設定を行うことができる。また、上位の装置にかかる負荷を抑えることができる。
【０１０２】
〈変形例１〉
上述の実施形態では、端末６Ａから端末６Ｃに呼を設定する場合、ＬＬＭ２Ａは、既に端末６Ｃを登録しているＳＩＰサーバ３Ｃに呼の設定要求を通知したが、これに限らずＳＩＰサーバ３Ａからの呼の設定要求に対し、端末６Ｃの位置情報を返信し、ＳＩＰサーバ３Ａから端末６Ｃに呼の設定要求を通知しても良い。
【０１０３】
〈変形例２〉
上記の実施形態では、端末６がネットワークを識別して所定のＳＩＰサーバにＳＩＰレジスタメッセージ（登録要求）を送ったが、これに限らず、端末６がネットワークに接続した際に、ネットワーク内の装置から接続した端末６に通知する構成でも良い。例えば、ＤＨＣＰサーバに各地域に設けたＳＩＰサーバのアドレスを登録しておき、端末がネットワークに接続した際、RFC3361(IPv4)、RFC3319(IPv6)で規定されているオプションによってＳＩＰサーバのＩＰアドレスを通知する。
【０１０４】
なお、該オプションについては、下記のウエブページ等で公開されているので、詳しい説明は省略する。
http://www.faqs.org/rfcs/rfc3361.html (IPv4)
http://www.faqs.org/rfcs/rfc3319.html (IPv6)
【０１０５】
〈変形例３〉
ＬＬＭ２は、自身が管理する各端末の情報をＮＬＭ１から取得する構成であっても良い。
例えば、ＳＩＰサーバ３Ａが社内の端末６をユーザ名に基づくＳＩＰ−ＵＲＩで識別し、このＳＩＰ−ＵＲＩを含むＳＩＰレジスタ情報をＬＬＭ２Ａに登録していた場合、ＬＬＭ２ＡのＮＬＭ通信部２５は、図１５に示すように、ＮＬＭ１に加入者情報（ユーザ名に対する電話番号）を要求する。これに応じＮＬＭ１は、記憶部１１から当該端末の加入者情報を読み出してＬＬＭ２へ通知する。
【０１０６】
そしてＬＬＭ２は、ＮＬＭから受信した該加入者情報を当該端末６の管理情報に追記する。
これによりＳＩＰ−ＵＲＬが会社や地域によって異なっていても、ＬＬＭで管理することができる。
また、ＮＬＭ１からＬＬＭ２が取得する加入者情報は、電話番号に限らず、課金条件や、保留・転送を認めるか等の情報であっても良い。
【０１０７】
〈変形例４〉
上記実施形態では、中継ノードとしてアクセスルータを用いた例を示したが、これに限らず、アクセスポイントがＳＩＰレジスタ情報をキャプチャし、ＬＬＭに通知しても良い。
また、ＳＩＰサーバ３が、登録したＳＩＰレジスタ情報をＬＬＭに通知しても良い。
【０１０８】
〈その他〉
本発明は、上述の図示例にのみ限定されるものではなく、本発明の要旨を逸脱しない範囲内において種々変更を加え得ることは勿論である。
例えば、以下に付記した構成であっても上述の実施形態と同様の効果が得られる。また
、これらの構成要素は可能な限り組み合わせることができる。
【０１０９】
（付記１）
ネットワークを介して接続する位置管理装置と複数の呼制御装置とを有し、
前記呼制御装置が、
呼の設定要求を受ける受信部と、
前記受信部で受けた呼の設定要求に応じ、宛先側通信装置の位置情報を位置データテーブルから検索する検索部と、
前記検索の結果、位置情報が索出された場合に、該位置情報に基づいて呼を設定する呼制御部と、
前記検索の結果、位置情報が索出されない場合に、該呼の設定要求を位置管理装置に通知する通知部とを備え、
前記位置管理装置が、
各通信装置を宛先とする呼の制御を前記呼制御装置の何れが行うかを示す管理情報を記憶した記憶部と、
前記呼制御装置から呼の設定要求の通知を受ける呼受信部と、
前記記憶部を参照し、前記設定要求の宛先側通信装置に対して呼の制御を行う呼制御装置に前記呼の設定要求を通知する通知部と、
を備える通話システム。（１）
【０１１０】
（付記２）
所定の地域に存在する通信装置に係る前記管理情報を前記記憶部に記憶し、異なる地域の管理情報を記憶した複数の前記位置管理装置と、
各通信装置の管理情報が前記複数の位置管理装置の何れに記憶されているのかを管理する広域管理装置と、
を備えることにより、位置情報を階層状に管理した付記１に記載の通話システム。
【０１１１】
（付記３）
前記広域管理装置が、各通信装置の加入者情報を記憶する記憶部を備え、
前記位置管理装置が、前記記憶部に記憶した管理情報に係る通信装置の加入者情報を前記広域管理装置から取得する取得部を備えた付記２に記載の通話システム。
【０１１２】
（付記４）
前記位置管理装置が、前記呼制御装置から呼の設定要求の通知を受け、当該設定要求の宛先側通信装置に係る管理情報が前記記憶部に記憶されていない場合に、当該呼の設定要求を前記広域管理装置に通知する広域通知部を備え、
前記広域管理装置が、
各通信装置の管理情報が前記複数の位置管理装置の何れに記憶されているのかを示す広域管理情報を記憶した記憶部と、
前記位置管理装置から呼の設定要求の通知を受ける呼受信部と、
前記記憶部を参照し、該呼の設定要求の宛先側通信装置の管理情報を記憶した位置管理装置を特定し、当該位置管理装置に当該呼の設定要求を通知する通知部とを備えた付記２又は３に記載の通話システム。
【０１１３】
（付記５）
ネットワークを介して位置管理装置と接続する呼制御装置が、
呼の設定要求を受け、
前記呼の設定要求に応じて、宛先側通信装置の位置情報を位置データテーブルから検索し、
前記検索の結果、位置情報が索出された場合に、該位置情報に基づいて呼を設定し、
前記検索の結果、位置情報が索出されない場合に、該呼の設定要求を位置管理装置に通知し、
前記位置管理装置が、
前記呼制御装置から呼の設定要求の通知を受け、
各通信装置を宛先とする呼の制御を前記呼制御装置の何れが行うかを示す管理情報を記憶した記憶部を参照し、
前記参照した管理情報に基づき、前記設定要求の宛先側通信装置に対して呼の制御を行う呼制御装置に前記呼の設定要求を通知する通話方法。（２）
【０１１４】
（付記６）
前記位置管理装置が、所定の地域に存在する通信装置に係る前記管理情報を前記記憶部に記憶し、
広域管理装置が、異なる地域の管理情報を記憶した複数の前記位置管理装置のうち何れに、どの通信装置の管理情報が記憶されているのかを管理することにより、位置情報を階層状に管理した付記５に記載の通話方法。
【０１１５】
（付記７）
前記広域管理装置が、各通信装置の加入者情報を記憶部に記憶し、
前記位置管理装置が、前記記憶部に記憶した管理情報に係る通信装置の加入者情報を前記広域管理装置から取得する付記６に記載の通話方法。
【０１１６】
（付記８）
前記位置管理装置が、前記呼制御装置から呼の設定要求の通知を受け、当該設定要求の宛先側通信装置に係る管理情報が前記記憶部に記憶されていない場合に、当該呼の設定要求を前記広域管理装置に通知し、
前記広域管理装置が、
各通信装置の管理情報が前記複数の位置管理装置の何れに記憶されているのかを示す広域管理情報を記憶部に記憶し、
前記位置管理装置から呼の設定要求の通知を受け、
前記記憶部を参照し、該呼の設定要求の宛先側通信装置の管理情報を記憶した位置管理装置を特定し、当該位置管理装置に当該呼の設定要求を通知する付記６又は７に記載の通話方法。
【０１１７】
（付記９）
ネットワークを介して位置管理装置と接続する呼制御装置であって、
呼の設定要求を受ける受信部と、
前記受信部で受けた呼の設定要求に応じ、宛先側通信装置の位置情報を位置データテーブルから検索する検索部と、
前記検索の結果、位置情報が索出された場合に、該位置情報に基づいて呼を設定する呼制御部と、
前記検索の結果、位置情報が索出されない場合に、該呼の設定要求を位置管理装置に通知する通知部とを備えた呼制御装置。（３）
【０１１８】
（付記１０）
ネットワークを介して位置管理装置と接続する呼制御装置が、
呼の設定要求を受け、
前記呼の設定要求に応じて、宛先側通信装置の位置情報を位置データテーブルから検索し、
前記検索の結果、位置情報が索出された場合に、該位置情報に基づいて呼を設定し、
前記検索の結果、位置情報が索出されない場合に、該呼の設定要求を位置管理装置に通
知する通話方法。（４）
【０１１９】
（付記１１）
ネットワークを介して位置管理装置と接続する呼制御装置に、
呼の設定要求を受け、
前記呼の設定要求に応じて、宛先側通信装置の位置情報を位置データテーブルから検索し、
前記検索の結果、位置情報が索出された場合に、該位置情報に基づいて呼を設定し、
前記検索の結果、位置情報が索出されない場合に、該呼の設定要求を位置管理装置に通知する機能を実現させるプログラム。（５）
【０１２０】
（付記１２）
ネットワークを介して呼制御装置と接続する位置管理装置であって、
各通信装置を宛先とする呼の制御を前記呼制御装置の何れが行うかを示す管理情報を記憶した記憶部と、
前記呼制御装置から呼の設定要求の通知を受ける呼受信部と、
前記記憶部を参照し、前記設定要求の宛先側通信装置に対して呼の制御を行う呼制御装置に前記呼の設定要求を通知する通知部と、
を備える位置管理装置。
【０１２１】
（付記１３）
ネットワークを介して呼制御装置と接続する位置管理装置が、
前記呼制御装置から呼の設定要求の通知を受け、
各通信装置を宛先とする呼の制御を前記呼制御装置の何れが行うかを示す管理情報を記憶した記憶部を参照し、
前記参照した管理情報に基づき、前記設定要求の宛先側通信装置に対して呼の制御を行う呼制御装置に前記呼の設定要求を通知する通話方法。
【０１２２】
（付記１４）
ネットワークを介して呼制御装置と接続する位置管理装置に、
前記呼制御装置から呼の設定要求の通知を受け、
各通信装置を宛先とする呼の制御を前記呼制御装置の何れが行うかを示す管理情報を記憶した記憶部を参照し、
前記参照した管理情報に基づき、前記設定要求の宛先側通信装置に対して呼の制御を行う呼制御装置に前記呼の設定要求を通知する機能を実現させるプログラム。
【図面の簡単な説明】
【０１２３】
【図１】従来技術の課題を示す図
【図２】本発明の全体図
【図３】中継ノードの機能ブロック図
【図４】ＬＬＭの機能ブロック図
【図５】ＮＬＭの機能ブロック図
【図６】ＳＩＰサーバの機能ブロック図
【図７】通信装置の機能ブロック図
【図８】各地域に設けられた装置の接続関係を示す図
【図９】端末の情報を中継ノードからＬＬＭへ通知する処理を示す図
【図１０】ＳＩＰレジスタ情報通知のシーケンス図
【図１１】ＳＩＰレジスタ情報登録のシーケンス図
【図１２】呼の設定のシーケンス図
【図１３】端末接続解除時のシーケンス図
【図１４】端末接続解除時のシーケンス図
【図１５】加入者情報取得時の説明図
【符号の説明】
【０１２４】
１０  ＩＰ電話システム
１  広域位置管理装置（ＮＬＭ：Network wide Location Manager）
２  地域内位置管理装置（ＬＬＭ：Local Location Manager）
３  ＳＩＰサーバ（呼制御装置）
４  アクセスルータ（中継ノード）
６  端末（通信装置）
【図１】
2007208695.tif 000003
【図２】
2007208695.tif 000004
【図３】
2007208695.tif 000005
【図４】
2007208695.tif 000006
【図５】
2007208695.tif 000007
【図６】
2007208695.tif 000008
【図７】
2007208695.tif 000009
【図８】
2007208695.tif 000010
【図９】
2007208695.tif 000011
【図１０】
2007208695.tif 000012
【図１１】
2007208695.tif 000013
【図１２】
2007208695.tif 000014
【図１３】
2007208695.tif 000015
【図１４】
2007208695.tif 000016
【図１５】
2007208695.tif 000017